(57)【要約】【課題】廃棄物が発生する前に予め廃棄物搬送業者が廃棄物の発生予定を把握することができて、該廃棄物が発生したときに廃棄物搬送業者が速やかに収集することが可能な廃棄物管理システムを提供する。【解決手段】現場端末１０には、建築工程の進捗状況を管理サーバ３０へ送信可能な手段を備え、前記管理サーバ３０には、建築物に対応した建築工程と、該建築工程の進捗状況に応じた廃棄物の予定排出量及び予定排出時が記憶されているデータベース３５ａと、前記現場端末１０から受信した進捗状況に応じた予定排出量及び予定排出時を選択して搬送者端末２０へ送信可能な手段とを備え、前記搬送者端末２０には、前記管理サーバ３０から受信した予定排出量及び予定排出時を出力表示する手段を備える。【選択図】図４
2008084224.tif 000002
【特許請求の範囲】
【請求項１】
建築現場管理者が使用する現場端末と、
建築現場で排出される廃棄物を収集場へ搬送する廃棄物搬送業者が使用する搬送者端末と、
通信ネットワークを介して前記現場端末と前記搬送者端末と情報の送受信可能な管理サーバとを備えた廃棄物管理システムであって、
前記現場端末には、建築工程の進捗状況を前記管理サーバへ送信可能な手段を備え、
前記管理サーバには、建築物に対応した建築工程と、該建築工程の進捗状況に応じた廃棄物の予定排出量及び予定排出時が記憶されているデータベースと、前記現場端末から受信した進捗状況に応じた予定排出量及び予定排出時を選択して前記搬送者端末へ送信可能な手段とを備え、
前記搬送者端末には、前記管理サーバから受信した予定排出量及び予定排出時を出力表示する手段を備えることを特徴とする廃棄物管理システム。
【請求項２】
前記搬送者端末に、廃棄物収集量を前記管理サーバへ送信可能な手段を備え、
前記管理サーバに、受信した廃棄物収集量と前記予定排出量との差異を算出する手段を備えることを特徴とする、請求項１に記載の廃棄物管理システム。
【請求項３】
前記データベースに、予定排出量に関する上下の閾値を予め記憶し、
前記管理サーバに、前記廃棄物収集量と前記予定排出量との差異が該上下の閾値を超えた場合に、該管理サーバから前記現場端末に異常警告を送信する手段を備えることを特徴とする請求項２に記載の廃棄物管理システム。
【請求項４】
建築現場管理者が使用する現場端末と、建築現場で排出される廃棄物を収集場へ搬送する廃棄物搬送業者が使用する搬送者端末とに、通信ネットワークを介して情報の送受信可能な管理サーバに、
前記現場端末より受信した進捗状況に応じた廃棄物の予定排出量及び予定排出時を選択するステップと、
該選択された予定排出量と予定排出時を前記搬送者端末へと送信するステップと、を実行させることを特徴とする廃棄物管理プログラム。
【請求項５】
受信した廃棄物収集量と前記予定排出量との差異を演算するステップと、
該演算された差異をデータベースに記憶するステップとを、
前記管理サーバに、更に実行させることを特徴とする請求項４に記載の廃棄物管理システム。
【請求項６】
前記データベースに予め記憶された前記予定排出量に関する上下の閾値を読み出すステップと、
前記演算された差異が該上下の閾値内か否かを判断するステップと、
該演算された差異が該上下の閾値を超えた場合に、前記現場端末に異常警告を送信するステップとを、
前記管理サーバに実行させることを特徴とする請求項５に記載の廃棄物管理システム。
【請求項７】
建築現場管理者が使用する現場端末と、建築現場で排出される廃棄物を収集場へ搬送する廃棄物搬送業者が使用する搬送者端末と、通信ネットワークを介して該現場端末と該搬送者端末と情報の送受信可能な管理サーバと、を用いた廃棄物管理方法であって、
該現場端末が、建築工程の進捗状況を前記管理サーバへと送信し、
該管理サーバが、データベースに記憶されている進捗状況に応じた廃棄物の予定排出量及び予定排出時を選択して前記搬送者端末へと送信し、
該搬送者端末が、前記管理サーバから受信した予定排出量及び予定排出時を出力表示することを特徴とする廃棄物管理方法。
【請求項８】
前記搬送者端末が、廃棄物収集量を前記管理サーバへと送信し、
該管理サーバが、受信した廃棄物収集量と前記予定排出量との差異を演算することを特徴とする請求項７に記載の廃棄物管理方法。
【請求項９】
前記管理サーバが、前記データベースに予め記憶された前記予定排出量に関する上下の閾値を読み出し、
前記演算された差異が該上下の閾値内か否かを判断し、
該演算された差異が該上下の閾値を超えた場合に、前記現場端末に異常警告を送信することを特徴とする請求項８に記載の廃棄物管理方法。
【発明の詳細な説明】
【技術分野】
【０００１】
本発明は、建築現場から排出される廃棄物を管理する廃棄物管理技術に関する。
【背景技術】
【０００２】
従来より、国内において排出される産業廃棄物を処理する場合には、マニフェストの使用・交付が義務付けられている。マニフェストとは、排出事業者（廃棄物を出す会社）が産業廃棄物の処理を委託する際に産業廃棄物種類・数量・現場名・運搬業者名・処理業者名等を記入する産業廃棄物管理票のことであり、産業廃棄物の流れを排出事業者が把握・管理することができるものである。
このため、住宅等の小規模な建築現場において、建築現場から排出される建築廃棄物を処理する場合についても、個々の現場毎にマニフェストの交付が必要であり、現場管理者が産業廃棄物種類及び数量を記入することが法律で義務づけられている。
【０００３】
住宅等の小規模な建築現場においては、建築廃棄物の廃棄管理責任を負う現場管理者は一人で複数の現場を管理する場合が多く複数の現場を巡回管理していることが多い。このため、自己が担当する全ての現場を１日に何回も見に行くことはできない。つまり、現場管理者が建築廃棄物の排出時に立ち会えずに、現場管理者が排出物自体の内容確認を行うことができないことがある。このような場合に、廃棄管理責任の所在が不明確となり、排出物の種類・排出時刻・排出手法等を把握することができず、建築廃棄物について適切な管理をすることができないという問題があった。
【０００４】
そこで、建設現場から排出された廃棄物を収集運搬業者が収集運搬し、処理場で処理業者が処理する廃棄物処理工程において、接続中継センタを介することによって、排出する廃棄物の廃棄物処理情報を移動接続式端末機器から情報処理センタへ登録する廃棄物処理情報管理システム等が提案されている（例えば、特許文献１参照。）。
また、建築現場で排出された廃棄物を収納するための廃棄物容器に電子タグを装着することにより、廃棄物を正確に管理してリサイクル率を向上させる技術も提案されている（例えば、特許文献２参照。）。
【特許文献１】特開２００２−８０１０３号公報
【特許文献２】特許第３７４３９８３号公報
【発明の開示】
【発明が解決しようとする課題】
【０００５】
しかし、上記特許文献に示す廃棄物処理システムでは、建築現場において廃棄物が排出されてから、現場管理者が排出された廃棄物の量を該現場管理者の管理する端末から送信し、廃棄物搬送業者が廃棄物の収集指令を該端末にて受け取って、その現場で廃棄物の収集を終了するまでに時間を要してしまう。そのため、建築現場において排出された廃棄物が不要にスペースを占領してしまったり、湿気で廃棄物が湿ってしまうという不具合があった。
そこで、本発明が解決しようとする課題は、廃棄物が発生する前に予め廃棄物搬送業者が廃棄物の発生予定を把握することができて、該廃棄物が発生したときに廃棄物搬送業者が速やかに収集することが可能な廃棄物管理システムを提供することにある。
【課題を解決するための手段】
【０００６】
本発明の解決しようとする課題は以上の如くであり、次にこの課題を解決するための手段を説明する。
【０００７】
即ち、請求項１においては、建築現場管理者が使用する現場端末と、建築現場で排出される廃棄物を収集場へ搬送する廃棄物搬送業者が使用する搬送者端末と、通信ネットワークを介して前記現場端末と前記搬送者端末と情報の送受信可能な管理サーバとを備えた廃棄物管理システムであって、前記現場端末には、建築工程の進捗状況を前記管理サーバへ送信可能な手段を備え、前記管理サーバには、建築物に対応した建築工程と、該建築工程の進捗状況に応じた廃棄物の予定排出量及び予定排出時が記憶されているデータベースと、前記現場端末から受信した進捗状況に応じた予定排出量及び予定排出時を選択して前記搬送者端末へ送信可能な手段とを備え、前記搬送者端末には、前記管理サーバから受信した予定排出量及び予定排出時を出力表示する手段を備えるものである。
【０００８】
請求項２においては、前記搬送者端末に、廃棄物収集量を前記管理サーバへ送信可能な手段を備え、前記管理サーバに、受信した廃棄物収集量と前記予定排出量との差異を算出する手段を備えるものである。
【０００９】
請求項３においては、前記データベースに、予定排出量に関する上下の閾値を予め記憶し、前記管理サーバに、前記廃棄物収集量と前記予定排出量との差異が該上下の閾値を超えた場合に、該管理サーバから前記現場端末に異常警告を送信する手段を備えるものである。
【００１０】
請求項４においては、建築現場管理者が使用する現場端末と、建築現場で排出される廃棄物を収集場へ搬送する廃棄物搬送業者が使用する搬送者端末とに、通信ネットワークを介して情報の送受信可能な管理サーバに、前記現場端末より受信した進捗状況に応じた廃棄物の予定排出量及び予定排出時を選択するステップと、該選択された予定排出量と予定排出時を前記搬送者端末へと送信するステップと、を実行させるものである。
【００１１】
請求項５においては、受信した廃棄物収集量と前記予定排出量との差異を演算するステップと、該演算された差異をデータベースに記憶するステップとを、前記管理サーバに、更に実行させるものである。
【００１２】
請求項６においては、前記データベースに予め記憶された前記予定排出量に関する上下の閾値を読み出すステップと、前記演算された差異が該上下の閾値内か否かを判断するステップと、該演算された差異が該上下の閾値を超えた場合に、前記現場端末に異常警告を送信するステップとを、前記管理サーバに実行させるものである。
【００１３】
請求項７においては、建築現場管理者が使用する現場端末と、建築現場で排出される廃棄物を収集場へ搬送する廃棄物搬送業者が使用する搬送者端末と、通信ネットワークを介して該現場端末と該搬送者端末と情報の送受信可能な管理サーバと、を用いた廃棄物管理方法であって、該現場端末が、建築工程の進捗状況を前記管理サーバへと送信し、該管理サーバが、データベースに記憶されている進捗状況に応じた廃棄物の予定排出量及び予定排出時を選択して前記搬送者端末へと送信し、該搬送者端末が、前記管理サーバから受信した予定排出量及び予定排出時を出力表示するものである。
【００１４】
請求項８においては、前記搬送者端末が、廃棄物収集量を前記管理サーバへと送信し、該管理サーバが、受信した廃棄物収集量と前記予定排出量との差異を演算するものである。
【００１５】
請求項９においては、前記管理サーバが、前記データベースに予め記憶された前記予定排出量に関する上下の閾値を読み出し、前記演算された差異が該上下の閾値内か否かを判断し、該演算された差異が該上下の閾値を超えた場合に、前記現場端末に異常警告を送信するものである。
【発明の効果】
【００１６】
本発明の効果として、以下に示すような効果を奏する。
【００１７】
本発明によれば、廃棄物が発生する前に予め廃棄物搬送業者が廃棄物の発生予定を把握することができて、該廃棄物が発生したときに廃棄物搬送業者が速やかに収集することができる。
また、予定されている廃棄物の発生量と実際に発生した廃棄物の発生量との差異を把握することができ、施工方法等にフィードバックすることができる。
更に、廃棄物収集量が閾値を超えた場合に、現場管理者が速やかに原因究明や予防措置を行うことができ、施工方法等についてより確実なフィードバックを行うことができる。
【発明を実施するための最良の形態】
【００１８】
次に、発明の実施の形態を説明する。
図１は本発明の一実施例に係る廃棄物管理システムの全体構成を示す模式図、図２は建築現場から最終処理工場までの廃棄物の流れを示す概略図、図３は（ａ）現場端末等の内部構成を示すブロック図（ｂ）管理サーバの内部構成を示すブロック図、図４は管理サーバが有する進捗管理データベースを示した概念図、図５は廃棄物管理システムにおける廃棄物処理工程を示す流れ図、図６は管理サーバの動作を示すシステムフロー図、図７は実施例１に係る管理サーバの処理の流れ図、図８は工程開始処理の流れ図、図９は廃棄物収集処理の流れ図である。
【００１９】
図１に示すように、本発明の廃棄物管理システム１は、主に、建築現場１０１の工事管理者又は現場監督者が使用する現場端末１０や、廃棄物収集センター１０２へ建築現場１０１で排出される廃棄物を搬送する廃棄物搬送業者が使用する搬送者端末２０や、管理サーバ３０や、廃棄物収集センター１０２に設置される集荷端末４０等から成るものであって、インターネット等の無線又は有線の通信ネットワーク１００を通じて該現場端末１０・該搬送者端末２０・該管理サーバ３０・該集荷端末４０同士が様々なデータを送受信可能に構成されている。
そして、後述するように、本発明の廃棄物管理システム１は、前記現場端末１０に入力若しくは選択されて送信された建築工程の進捗状況報告に応じて、管理サーバ３０が、該当する現場のその建築工程における「廃棄物予定排出量」や「廃棄物予定排出時」等（以下、「廃棄物予定排出情報」とする。）を自動で選択して、搬送者端末２０に送信することによって、この「廃棄物予定排出情報」が廃棄物搬送業者の搬送者端末２０に自動で配信されるものである。
【００２０】
そして、図２に示すように、施工業者等によって建築現場１０１において排出された廃棄物は、廃棄物搬送業者によって建築現場１０１から廃棄物収集センター１０２へと搬送され、その後、資源循環センター１０３へと搬送されて再資源化される。
以下、本実施例における建築現場１０１は、住宅建築等の土木建築工事全般の現場をいうものとし、解体工事等のような廃棄物が排出される工事現場等も含むものとする。
【００２１】
まず、建築現場管理者用現場端末１０は、メール機能やｗｅｂ機能を有した携帯電話等の携帯型個人情報端末である。そして、後述する搬送者端末２０ａ・２０ｂや集荷端末４０の構成も該現場端末１０の構成と略同様であって、携帯型搬送者端末２０ａは廃棄物を建築現場１０１から廃棄物収集センター１０２まで搬送する廃棄物搬送業者のドライバが携帯するメール機能やｗｅｂ機能を有した携帯電話等をいうものであり、設置型搬送者端末２０ｂは廃棄物搬送業者の営業所１０４等に常設されるパーソナル・コンピュータ等をいうものであり、集荷端末４０は廃棄物収集センター１０２等に常設されるパーソナル・コンピュータ等をいうものである。
【００２２】
図３（ａ）に示すように、現場端末１０はＣＰＵ１１とＲＯＭ１２とＲＡＭ１３と入力部１４と表示部１６と通信部１７とを有する。
ＣＰＵ１１は、ＲＯＭ１２に格納された各種制御プログラムに基づいて各種制御を実行するものである。また、ＣＰＵ１１は、入力部１４によって生成された操作情報が入力されると、入力された操作情報に基づいて制御情報を生成し、生成した制御情報を各部に出力するものである。
ＲＯＭ１２は、ＣＰＵ１１に実行させる各種制御プログラムが格納されているメモリである。
ＲＡＭ１３は、各種アプリケーションプログラムや様々な建築物の詳細な建築工程や進捗状況等が格納されるメモリであって、ＣＰＵ１１のワーク領域等に使用されるものである。
入力部１４は、各種情報を入力する入力キー（テンキー、上下左右キー、各種機能キー等）であって、ユーザの入力操作に応じて操作情報を生成し、生成した操作情報をＣＰＵ１１に出力するものである。但し、入力部１４はタッチパネル等で構成しても良い。
表示部１６は、ＣＰＵ１１の制御に基づいて、ＣＰＵ１１が生成した画像情報等の各種画像情報を表示する表示パネルである。そして、搬送者端末２０の表示部２６は、廃棄物管理サーバ３０から受信した「廃棄物予定排出情報」を表示することができるものである。
通信部１７は、現場端末１０を通信ネットワーク１００を介して管理サーバ３０等と接続して情報の出入力を行うためのものであって、例えば、搬送者端末２０や管理サーバ３０や集荷端末４０の間で各種情報の送受信を行うことができるのである。
【００２３】
また、各現場端末１０には、通信ネットワーク１００上において各現場端末１０を特定する端末ＩＤが付与されており、例えば、ＩＰアドレス等と関連付けられてＲＡＭ１３に格納されている。尚、現場端末１０については現場コードと端末ＩＤとを対応付け、搬送者端末２０については業者コード若しくはドライバコードと端末ＩＤとを対応付け、集荷端末４０については集荷拠点コードと端末ＩＤとを対応付けるようにしている。
ここで、前記「現場コード」とは建築現場を特定するために建築現場毎に付与される識別番号を示すものであって、後述する管理サーバ３０において該現場コードから建築物の種類が特定できるようになっている。前記「業者コード」とは廃棄物搬送業者を特定するために廃棄物搬送業者毎に付与される識別番号を示すものであり、前記「ドライバコード」とは廃棄物収集運搬業者のドライバを特定するためにドライバ毎に付与される識別番号を示すものである。
【００２４】
次に、管理サーバ３０は、廃棄物管理システム１全体を管理するサーバであって、様々な種類の建築物の詳細な建築工程や、詳細な進捗状況や、該進捗状況に対応した廃棄物の排出に関する各種情報（「廃棄物予定排出情報」）が格納されたデータベース３５ａを有している。詳しくは、管理サーバ３０は、「廃棄物予定排出情報」や後述する「廃棄物情報」を管理するホストサーバであって、通信ネットワーク１００を介して現場端末１０や搬送者端末２０や集荷端末４０との間で、建築現場１０１にて排出される廃棄物についての「廃棄物予定排出情報」や「廃棄物情報」に関するデータの送受信を行うことができるものである。
【００２５】
図３（ｂ）に示すように、管理サーバ３０は、ＣＰＵ３１とＲＯＭ３２とＲＡＭ３３と入力部３４と記憶部３５と表示部３６と通信部３７とを有する。
ＣＰＵ３１は、ＲＯＭ３２に格納された各種制御プログラムに基づいて各種制御を実行するものである。また、ＣＰＵ３１は、入力部３４によって生成された操作情報を入力すると、入力された操作情報に基づいて制御情報を生成し、生成した制御情報を各部に出力するものである。
ＲＯＭ３２は、ＣＰＵ３１に実行させる各種制御プログラムが格納されているメモリである。
ＲＡＭ３３は、ＣＰＵ３１のワーク領域等に使用されるメモリである。
入力部３４は、各種入力キーを備えており、操作されたキーに応じて操作情報を生成し、生成した操作情報をＣＰＵ３１に出力するものである。
表示部３６は、例えばディスプレイ等のＣＰＵ３１の制御に基づいて各種情報を表示出力するものである。
通信部３７は、管理サーバ３０を通信ネットワーク１００等を介して現場端末１０や搬送者端末２０や集荷端末４０と接続するための通信カード等であって、該現場端末１０と搬送者端末２０と管理サーバ３０と集荷端末４０との間で各種情報の送受信を行うことができるようになっている。
【００２６】
記憶部３５は、各種アプリケーションプログラムや前記「廃棄物予定排出情報」や後述する「廃棄物情報」が格納されるハードディスクであって、現場コードやドライバコードや集荷拠点コードや資材コードが記憶されている。つまり、該記憶部３５には、建築工程や進捗状況に対応した「廃棄物予定排出情報」を含むデータベース３５ａが格納されている。
詳しくは、前記データベース３５ａには、建築物毎に付与された現場コードに基づいて読み出し可能に、「進捗管理データベース３５ａ」が格納される。図４は、当該進捗管理データベース３５ａのデータ構成を示す概念図である。
前記進捗データには、建築現場にユニークな現場コード及び予め設定された建築工程ごとの廃棄物種類・「廃棄物予定排出量」・廃棄物予定排出期間・搬送車端末アドレスを少なくとも含む「廃棄物予定排出情報」とが、含まれる。
本実施例においては、進捗管理データベース３５ａには、現場コード・建築現場所在地等の建築現場に関する基本情報や、建築工程・廃棄物種類・「廃棄物予定排出量」・排出下限量・排出上限量・廃棄物予定排出期間・各工程の現場監督者又は工事管理者の端末アドレス（又は端末ＩＤ）等の排出される廃棄物の予定排出に関する情報や、必要車種・積載重量等の廃棄物を搬送するための情報や、各工程の開始時・終了時・廃棄物収集完了時・収集量・評価値・走行距離・二酸化炭素発生量等の各工程における処理において追記される情報が記憶されている。
【００２７】
例えば、本実施例においては、図４に示すように躯体・外装工事は第２工程であり、この第２工程の開始してから廃棄物予定排出期間たる「１２日」間が経過したときが「廃棄物予定排出時」であって、廃棄物種類たる「製材」が、「廃棄物予定排出量」たる「１００ｋｇ」排出される予定である旨が、進捗管理データベース３５ａに記憶されている。また、躯体・外装工事において「製材」は、「廃棄物予定排出量」の排出上限量や排出下限量の範囲内である±４０ｋｇまでが正常値（判断基準）である。
【００２８】
本実施例においては、建築工程を、基礎、躯体・外装、内装、仕上げの各工事過程に分けている。但し、建築工程を第一過程から第ｎ過程のより細かな過程に分割して、建築工程の各過程に対応させた廃棄物排出量を算出し、過程と廃棄物算出量とを対応させてデータを作成することができる。建築工程の各工事過程と、該工事過程において排出される廃棄物の量や種類は、特に、工業化住宅においては見積もりが容易である。
尚、上記においては現場端末１０・２０・４０としてＷｅｂ機能を有する携帯電話を使用したが、所定のネットワークとの通信機能とを有するＰＤＡ等の通信端末を使用するようにしてもよい。
【実施例１】
【００２９】
次に、図５乃至図９を用いて、前記廃棄物管理システム１における、実施例１に係る制御の流れについて説明する。
図５に示すフロー図は、上から順番に、基礎工事に関する廃棄物処理の情報の送受信、外装工事に関する廃棄物処理の情報の送受信、内装工事に関する廃棄物処理の情報の送受信、仕上げ工事に関する廃棄物処理の情報の送受信を示すものであって、換言すれば、本発明の廃棄物管理システム１における廃棄物に関する情報の全体的な流れを示すシステムフロー図である。
【００３０】
図５及び図７に示すように、まず、建築現場において工事が開始される際に、建築現場管理者の現場端末１０から、工事開始情報が管理サーバ３０へ送信される。前記工事開始情報には、工事を開始する旨の情報に加え、現場コード、端末ＩＤ等が含まれる。
尚、現場端末１０に、建築工程・現場コード・端末ＩＤ等の情報の入力及び送信を補助するアプリケーションプログラムをインストールして、このプログラムを起動させて工事開始情報を送信するように構成したり、或いは、現場端末１０からインターネット１００等を通じて管理サーバ３０が運営するウェブページにアクセスし、該ウェブページに設けられた入力フォームに工事開始情報を入力して送信したりする構成であっても良い。以下、現場端末１０、搬送者端末２０における情報の送受信において同様である。
【００３１】
図７に示すように、工事開始情報を受信した管理サーバ３０では（Ｓ００１のＹＥＳ）、工事開始処理が開始される（Ｓ００２）。
前記工事開始処理では、データベース３５ａを参照して、受信した現場コードに基づいて該当する進捗管理データベース３５ａが読み出され、建築工程の初期化（第ｎ工程；ｎ＝１）と日時の進捗管理データベース３５ａへの記憶が為されるとともに、図５に示すように、建築工事が開始される旨が廃棄物搬送業者の搬送者端末２０、並びに、全ての工程の現場監督者の現場端末１０・１０・・・へと送信される。
【００３２】
図７に戻って、上記工事開始処理が終了すると、続いて、管理サーバ３０では、第ｎ工程の処理が開始される。
第ｎ工程が開始されると、現場管理者若しくは工事監督者の現場端末１０より、工程を開始する旨の進捗状況報告と現場コードとが、管理サーバ３０へ送信される（図６中、矢印Ａ）。これらの情報を受信した管理サーバ３０では（Ｓ００３のＹＥＳ）、工程開始処理が行われる（Ｓ００４）。
【００３３】
図８に示すように、前記工程開始処理では、現場コードから建築物の種類を選択し（Ｓ１０２）、前記データベース３５ａを用いて建築工程（進捗状況）に対応した廃棄物種類・廃棄物排出量・廃棄物予定排出期間等（「廃棄物予定排出情報」）を抽出する（Ｓ１０３）。抽出された「廃棄物予定排出情報」は記憶部３５に格納される（Ｓ１０４）。
このとき、管理サーバ３０が、次の建築工程の監督者が使用する現場端末１０へと、自動で工程開始報告を送信する構成としても良い（図６中、矢印Ｃ）。
【００３４】
前記管理サーバ３０は、選択した「廃棄物予定排出情報」から最適な廃棄物搬送業者（ドライバ）若しくは「廃棄物予定収集経路」を選択し（Ｓ１０５）、該「廃棄物予定排出情報」や「廃棄物予定収集時」や「廃棄物予定収集経路」を選択された廃棄物搬送業者（ドライバ）の搬送者端末２０ａ・２０ｂへと送信する（図６中、矢印Ｂ）（Ｓ１０６）。換言すれば、廃棄物管理サーバ３０は、現場端末１０の端末ＩＤに基づいて記憶部３５に格納されている現場コードを選択し、データベース３５ａに蓄積されている他の建築現場に関する該現場コードに基いて「廃棄物予定収集経路」を選択し、「廃棄物予定排出情報」と共に該「廃棄物予定収集経路」を搬送者端末２０へと送信するのである。
但し、廃棄物管理サーバ３０が「廃棄物予定排出情報」に関する廃棄物の収集運搬についての情報を廃棄物搬送業者に通知し、配車確定登録をしても良い。例えば、廃棄物搬送業者の常設搬送者端末２０ｂに前記廃棄物の収集運搬についての情報を送信して、該廃棄物搬送業者がドライバや車種を選択する構成であっても良い。
【００３５】
管理サーバ３０から搬送者端末２０へと「廃棄物予定収集時」や「廃棄物予定収集経路」を送信するタイミングを「廃棄物予定収集時」の何日前に行うかは、管理サーバ３０において任意に設定できるものとし、現場端末１０から進捗状況が送信されてきた直後に搬送者端末２０へ送信しても良いし、「廃棄物予定収集時」の２・３日前に送信しても良いし、現場コードや建築物の種類に応じて送信タイミングを変更しても良いものとする。
また、図６に示すように、建築作業が遅れたときには、現場管理者等が現場端末１０に建築作業の遅れ（以下、「遅延情報」とする。）を入力し、該建築作業の「遅延情報」が管理サーバへと送信され（図６中、矢印Ａ）、該「遅延情報」が管理サーバ３０から自動的に搬送者端末２０や他の工事監督者の現場端末１０・１０・・・へと配信される（図６中、矢印Ｂ・Ｃ）構成にすると好ましい。
【００３６】
前述したように、１つの建築現場１０１に関わる各建築工程の監督者それぞれに現場端末１０・１０・・・を持たせて、前記管理サーバ３０のデータベース３５ａに該現場端末１０・１０・・・に付与されている端末ＩＤや現場コードを記憶することによって、１つの現場端末１０から送信されてきた進捗状況を該建築現場における他の監督者の現場端末１０・１０・・・に送信することができる。
つまり、前記管理サーバ３０を介して、各建築工程の監督者が使用する各現場端末１０・１０・・・に対して、建築工程に関する進捗工程に関する情報を自動でリレー（送信）する構成にすることによって、標準施工工程の遵守とアクシデント等に対する予防措置を誘導することが可能になる。例えば、建築工程の建築作業が遅れた場合には、該建築工程に投入する作業者を増やしたり、作業者の労働時間の追加を行うことによって、容易に建築工程全体の遅れを取り戻すことができるようになる。
【００３７】
管理サーバ３０から搬送者端末２０に「廃棄物予定排出情報」や「廃棄物予定収集時」や「廃棄物予定収集経路」に関するデータが送られると（図６中、矢印Ｂ）、該搬送者端末２０の表示部２６に「廃棄物予定排出情報」や「廃棄物予定収集時」や「廃棄物予定収集経路」が表示される。但し、当該送信方法は、本実施例のように管理サーバ３０から自動メール送信を行っても良いし、搬送者端末２０からＷｅｂ上に公開された管理サーバ３０のホームページにアクセスして「廃棄物予定排出情報」等をダウンロードする方法であっても良い。
詳しくは、搬送者端末２０が「廃棄物予定排出情報」や「廃棄物予定収集時」や「廃棄物予定収集経路」を受信すると、受信した「廃棄物予定排出情報」等をＲＡＭ２３に格納してから、表示部２６に表示する。この場合には、例えば、建築現場名・「廃棄物予定排出時」・廃棄物種類・「廃棄物予定排出量」・「廃棄物予定収集時」・「廃棄物予定収集経路」を表示する。
【００３８】
このように、廃棄物搬送業者やドライバが、廃棄物が排出される前に予め搬送者端末２０の表示部２６において「廃棄物予定排出情報」・「廃棄物予定収集時」・「廃棄物予定収集経路」等を視覚的に容易に確認することができるので、ドライバが廃棄物の排出直後に建築現場に行くことが容易なものとなり、つまり、ドライバが廃棄物の収集を効率的に行うことができる。尚、ＲＡＭ２３に複数の「廃棄物予定排出情報」等が格納されている場合には、前記「廃棄物予定排出時」や「廃棄物予定収集時」の順番に表示部２６に表示させるようにしてもよい。
また、「廃棄物予定排出情報」を搬送者端末２０に送信すると共に、廃棄物管理サーバ３０が現場端末１０に「廃棄物予定排出情報」を送信し表示させるようにしてもよい。これによって、現場管理者も建築現場１０１において迅速に確認作業を行うことができる。
【００３９】
つまり、建築現場管理者が使用する現場端末１０と、建築現場で排出される廃棄物を収集場へ搬送する廃棄物搬送業者が使用する搬送者端末２０と、通信ネットワーク１００を介して前記現場端末１０と前記搬送者端末２０と情報の送受信可能な管理サーバ３０とを備えた廃棄物管理システム１であって、前記現場端末１０には、建築工程の進捗状況を前記管理サーバ３０へ送信可能な手段１７を備え、前記管理サーバ３０には、建築物に対応した建築工程と、該建築工程の進捗状況に応じた廃棄物の予定排出量及び予定排出時が記憶されているデータベース３５ａと、前記現場端末１０から受信した進捗状況に応じた予定排出量及び予定排出時を選択して前記搬送者端末２０へ送信可能な手段３７とを備え、前記搬送者端末２０には、前記管理サーバ３０から受信した予定排出量及び予定排出時を出力表示する手段２６を備えるので、廃棄物が発生する前に予め廃棄物搬送業者が廃棄物の発生予定を把握することができて、該廃棄物が発生したときに廃棄物搬送業者が速やかに収集することができるのである。
【００４０】
換言すれば、建築現場管理者が使用する現場端末１０と、建築現場で排出される廃棄物を収集場へ搬送する廃棄物搬送業者が使用する搬送者端末２０とに、通信ネットワーク１００を介して情報の送受信可能な管理サーバ３０に、前記現場端末１０より受信した進捗状況に応じた廃棄物の予定排出量及び予定排出時を選択するステップと、該選択された予定排出量と予定排出時を前記搬送者端末へと送信するステップと、を実行させるので、廃棄物が発生する前に予め廃棄物搬送業者が廃棄物の発生予定を把握することができて、該廃棄物が発生したときに廃棄物搬送業者が速やかに収集することができるのである。
【００４１】
更に換言すれば、建築現場管理者が使用する現場端末１０と、建築現場で排出される廃棄物を収集場へ搬送する廃棄物搬送業者が使用する搬送者端末２０と、通信ネットワーク１００を介して該現場端末１０と該搬送者端末２０と情報の送受信可能な管理サーバ３０と、を用いた廃棄物管理方法であって、該現場端末１０が、建築工程の進捗状況を前記管理サーバ３０へと送信し、該管理サーバ３０が、データベース３５ａに記憶されている進捗状況に応じた廃棄物の予定排出量及び予定排出時を選択して前記搬送者端末２０へと送信し、該搬送者端末２０が、前記管理サーバ３０から受信した予定排出量及び予定排出時を出力表示するので、廃棄物が発生する前に予め廃棄物搬送業者が廃棄物の発生予定を把握することができて、該廃棄物が発生したときに廃棄物搬送業者が速やかに収集することができるのである。
【００４２】
その後、廃棄物搬送業者は建築現場１０１において廃棄物を収集する。
詳しくは、建築現場１０１において発生した廃棄物は、施工業者等によって種類別に廃棄物容器１９・１９・・・に収容される。廃棄物容器１９は、廃棄物種類毎に大きさ若しくは形状若しくは色等が異なる形態とし、廃棄物搬送業者やドライバが一目で廃棄物種類や量を把握することができるようになっている。そして、廃棄物搬送業者であるドライバが、該収集を行う際に廃棄物容器１９を視認して廃棄物種類や量（重さ・体積等）を確認し、該廃棄物種類や量を搬送者端末２０の入力部２４に入力する。つまり、ドライバは指示された廃棄物容器１９・１９・・・を積み込む際に、搬送者端末２０の入力部２４に「廃棄物収集時」と収集した廃棄物種類や収集量（「廃棄物情報」とする。）とを入力する。
【００４３】
入力部２４に「廃棄物収集時」と「廃棄物情報」とが入力されると、入力された「廃棄物収集時」と「廃棄物情報」とがＲＡＭ２３に格納されて、該「廃棄物収集時」と「廃棄物情報」とが管理サーバ３０へと送信されて（図６中、矢印Ｄ）、管理サーバ３０の記憶部３５に格納される。このとき、搬送者端末２０に記憶されている業者コードやドライバコードとが、「廃棄物情報」と共に管理サーバ３０へと送信され、管理サーバ３０では当該廃棄物の管理責任が廃棄物搬送業者に移転したことを認識することができる。
【００４４】
図７に示すように、廃棄物管理サーバ３０が搬送者端末２０から「廃棄物情報」を受信すると（Ｓ００７）、受信した「廃棄物情報」をもとに「廃棄物収集処理」が実行される（Ｓ００８）。即ち、図９に示すように、「廃棄物情報」が記憶部３５のデータベース３５ａに格納されると共に、該「廃棄物情報」と既に格納されている前記「廃棄物予定排出情報」との差異や、「廃棄物収集時」と「廃棄物予定収集時」との差異が演算される（Ｓ１０７）。即ち、予定よりも実際の「廃棄物収集量」が多かったり少なかったりした旨や、予定より廃棄物の収集が遅れた旨の情報等が、データベース３５ａに蓄積される。つまり、管理サーバ３０が作成した廃棄物の排出に関する予定の情報と、実際の廃棄物の排出に関する実績の情報とを比較し、該比較結果を解析することができるのである。解析した結果は、今後の「廃棄物予定排出情報」の修正や作成の参考にすることができる。
【００４５】
このように、前記搬送者端末２０に、廃棄物収集量を前記管理サーバ３０へ送信可能な手段２７を備え、前記管理サーバ３０に、受信した廃棄物収集量と前記予定排出量との差異を算出する手段３１を備えるので、予定されている廃棄物の発生量と実際に発生した廃棄物の発生量との差異を把握することができ、施工方法等にフィードバックすることができる。
【００４６】
換言すれば、受信した廃棄物収集量と前記予定排出量との差異を演算するステップと、該演算された差異をデータベース３５ａに記憶するステップとを、前記管理サーバ３０に、更に実行させるので、予定されている廃棄物の発生量と実際に発生した廃棄物の発生量との差異を把握することができ、施工方法等にフィードバックすることができる。
【００４７】
更に換言すると、前記搬送者端末２０が、廃棄物収集量を前記管理サーバ３０へと送信し、該管理サーバ３０が、受信した廃棄物収集量と前記予定排出量との差異を演算するので、予定されている廃棄物の発生量と実際に発生した廃棄物の発生量との差異を把握することができ、施工方法等にフィードバックすることができる。
【００４８】
また、前記データベース３５ａに「廃棄物予定収集時」が記憶され、前記搬送者端末２０は、「廃棄物収集時」を入力可能とし、入力された該「廃棄物収集時」を前記管理サーバ３０へと送信可能とし、該管理サーバ３０は、受信した「廃棄物収集時」と「廃棄物予定収集時」との差異を出力可能とするので、予定されている廃棄物の収集時と実際の廃棄物の収集時との差異を把握することができ、廃棄物搬送業者の選択や廃棄物収集方法にフィードバックすることができる。
【００４９】
前記「廃棄物収集処理」（Ｓ００８）は、以下のような工程にすると好ましい。即ち、図９に示すように、管理サーバ３０において、「廃棄物収集量」と「廃棄物予定排出量」との差異を算出し（Ｓ１０７）、この差異が排出上限量未満且つ排出下限量以上であるか否かが判断されるのである（Ｓ１０８）。本実施例においては、前記データベース３５ａに「廃棄物予定排出量」を中心とした上下の触れ幅（閾値）が設定されており、即ち「廃棄物収集量」と「廃棄物予定排出量」との差異が上下の触れ幅以内か否かが判断される構成となっている。
しかし、直接的に排出上限量と排出下限量とが設定されて、前記「廃棄物収集量」が該排出上限量未満且つ排出下限量以上であるか判断される構成であっても良い。そして、管理サーバ３０によって、「廃棄物収集量」が排出上限量以上であったり排出下限量未満である場合には、自動的に管理サーバ３０から現場端末１０へと異常警告が送信される（図６中、矢印Ｅ）（Ｓ１０９）。
【００５０】
このように、前記データベース３５ａに、予定排出量に関する上下の閾値を予め記憶し、前記管理サーバ３０に、前記廃棄物収集量と前記予定排出量との差異が該上下の閾値を超えた場合に、該管理サーバ３０から前記現場端末１０に異常警告を送信する手段を備えるので、廃棄物収集量が閾値を超えた場合に、現場管理者が速やかに原因究明や予防措置を行うことができ、施工方法等についてより確実なフィードバックを行うことができる。
【００５１】
換言すれば、前記データベース３５ａに予め記憶された前記予定排出量に関する上下の閾値を読み出すステップと、前記演算された差異が該上下の閾値内か否かを判断するステップと、該演算された差異が該上下の閾値を超えた場合に、前記現場端末１０に異常警告を送信するステップとを、前記管理サーバ３０に実行させるので、廃棄物収集量が閾値を超えた場合に、現場管理者が速やかに原因究明や予防措置を行うことができ、施工方法等についてより確実なフィードバックを行うことができる。
【００５２】
更に換言すれば、前記管理サーバ３０が、前記データベース３５ａに予め記憶された前記予定排出量に関する上下の閾値を読み出し、前記演算された差異が該上下の閾値内か否かを判断し、該演算された差異が該上下の閾値を超えた場合に、前記現場端末１０に異常警告を送信するので、廃棄物収集量が閾値を超えた場合に、現場管理者が速やかに原因究明や予防措置を行うことができ、施工方法等についてより確実なフィードバックを行うことができる。
【００５３】
図７に戻って、前記廃棄物収集処理が終了すると、第ｎ工程の処理は終了する。
管理サーバ３０では、進捗管理データベース３５ａが読み出され、当該第ｎ工程が最終工程でない場合は（Ｓ００９のＮＯ）、第ｎ工程の廃棄物の収集が終了した旨が、管理サーバ３０より次工程の現場監督者の現場端末１０に送信される（Ｓ０１５）。更に、管理サーバ３０は、処理を次の建築工程（ｎ＝ｎ＋１）に進めて、これを進捗管理データベース３５ａに更新して（Ｓ０１６）、ステップＳ１０２に戻って処理が繰り返される。
【００５４】
一方、第ｎ工程が最終工程である場合には（Ｓ００９のＹＥＳ）、廃棄物の収集が終了した旨が、管理サーバ３０より現場管理者の現場端末１０に送信される（Ｓ０１０）。
そして、現場管理者の現場端末１０から管理サーバ３０に対して工事終了報告が送信されると、これを受けた管理サーバ３０（Ｓ０１１のＹＥＳ）は全建築工程の現場監督者の現場端末１０に工事終了の旨を配信し、一連の処理を終了する。
【００５５】
廃棄物を積み込んだ廃棄物収集車は、該廃棄物を廃棄物収集センター１０２まで搬送する。また、廃棄物管理サーバ３０が搬送者端末２０から「廃棄物情報」を受信すると、受信した「廃棄物情報」に対応する廃棄物荷下指示情報（対応する「廃棄物情報」を含ませてもよい）を、ドライバコードとに基づいて搬送者端末２０若しくは集荷端末４０とに送信する。廃棄物荷下指示情報は、収集した廃棄物容器１９・１９・・・を搬入する廃棄物収集センター１０２と廃棄物種類に関するデータとを含んだ情報である。
【００５６】
廃棄物収集センター１０２において、廃棄物収集車から荷下された廃棄物容器１９・１９・・・を受け入れると、作業員が受け入れた廃棄物容器１９・１９・・・を開け、収容されている廃棄物を廃棄物容器１９・１９・・・から取り出し、取り出した廃棄物について仕分け・分別等の処理を行い、廃棄物種類毎に最終処理工場１０３へと搬送する準備を行う。そして、搬送準備が整えば、廃棄物種類毎に所定の最終処理工場１０３へと廃棄物を搬送する。
前述したように、廃棄物容器１９・１９・・・は廃棄物種類毎に大きさ若しくは形状若しくは色等が異なる形態とし、廃棄物収集センター１０２の作業員が一目で廃棄物種類と量を把握することができるようになっている。つまり、廃棄物収集センター１０２の作業員が廃棄物種類と量とを把握して、集荷端末４０に入力することによって、管理サーバ３０に廃棄物実績情報を送信する構成としても良い。
【実施例２】
【００５７】
続いて、図１０乃至図１３を用いて、前記廃棄物管理システム１における、実施例２に係る制御の流れについて説明する。
図１０は実施例２に係る管理サーバの処理の流れ図、図１１は工程開始処理の流れ図、図１２は工程終了処理の流れ図、図１３は廃棄物収集処理の流れ図である。
実施例２に係る制御の流れは、上記実施例１とほぼ同様であるが、図１０に示すように、工程開始処理ステップ（Ｓ００４）と廃棄物収集報告受信ステップ（Ｓ００７）との間に、工程終了報告受信ステップ（Ｓ００５）と工程終了処理ステップ（Ｓ００６）とが加え入れられた処理である。
【００５８】
特に、工業化住宅や、日程に余裕を持たせて工程が計画されている場合においては、建築工程に必要となる日時の増減変更は希であり、工事開始報告さえすれば、工事終了報告は不必要とする処理を行うこともできるが、工事日程の遅延等により細かく対応していくためには、本実施例２のように、工程終了を報告するステップを設けることが望ましい。
尚、工程開始処理ステップ（Ｓ００４）〜廃棄物収集処理ステップ（Ｓ００８）を除く他のステップの処理は、上記実施例１にほぼ等しいので、説明を省略する。
以下に、工程開始処理ステップ（Ｓ００４）〜廃棄物収集処理ステップ（Ｓ００８）について説明する
【００５９】
図１１に示すように、前記工程開始処理が開始されると、現場コードに基づいてデータベースから該当する進捗管理データベース３５ａが読み出され（Ｓ２０１）、工程開始日時が記憶される。そして、前記データベース３５ａを用いて建築工程に対応した廃棄物種類・「廃棄物予定排出量」・廃棄物予定排出期間等が抽出される（Ｓ２０２）。更に、抽出されたこれらの情報から、工程開始通知情報が作成され（Ｓ２０３）、管理サーバ３０から、工程開始通知情報が搬送者端末２０へ送信される（Ｓ２０４）。
前記工程開始通知情報には、その建築工程を開始した日時・廃棄物予定収集日時・廃棄物種類・「廃棄物予定排出量」などの「廃棄物予定排出情報」が含まれる。つまり、工程開始通知情報が搬送者端末２０へ送信されることによって、廃棄物搬送業者へ廃棄物排出の予告を行うこととなる。
【００６０】
第ｎ工程の工事が終了すると、現場管理者若しくは工事監督者が、現場端末１０を用いて、工程を終了した旨の進捗状況報告と現場コードとを、管理サーバ３０へと送信する（図６中、矢印Ａ）。
図１０に示すように、これらの情報を受信した管理サーバ３０では（Ｓ００５のＹＥＳ）、工程終了処理が開始される（Ｓ００６）。
【００６１】
図１２に示すように、前記工程終了処理では、現場コードに基づいてデータベースから該当する進捗管理データベース３５ａが読み出され（Ｓ２１１）、前記データベース３５ａを用いて建築工程（進捗状況）に対応した廃棄物種類・「廃棄物予定排出量」・必要車種及び台数・廃棄物予定排出期間・所在地等が抽出される（Ｓ２１２）。
抽出されたこれらの情報から、工程終了通知情報が作成され（Ｓ２１３）、管理サーバ３０から、搬送者端末２０と次工程の工事監督者の現場端末１０へ送信される（Ｓ２１４）。
前記工程終了通知情報には、廃棄物種類・「廃棄物予定排出量」・必要車種及び台数・現場の所在地等の現場情報・廃棄物予定収集日時等が含まれる。
【００６２】
前記工程終了通知情報には、更に廃棄物予定収集経路を含むこともできる。
つまり、管理サーバ３０が、現場の所在地等の現場情報、廃棄物予定収集日時等から、同日に設定された廃棄物収集を効率的に行うために、「廃棄物予定収集経路」を算出して、複数の現場を回って廃棄物を収集してから廃棄物収集センター１０２に搬入するように、指示する構成ともできる。
【００６３】
図１０に示すように、上記工程終了通知を搬送者端末２０にて受信すると、廃棄物搬送業者はこの情報に基づいて廃棄物の収集を行う。
建築現場１０１において発生した廃棄物は、施工業者等によって種類別に廃棄物種類毎に大きさ若しくは形状若しくは色等が異なる廃棄物容器１９・１９・・・に収容され、目視にて廃棄物種類や量を把握することが可能である。つまり、この場合、廃棄物容器１９が計量手段ということとなる。
尚、廃棄物搬送業者により廃棄物が廃棄物収集センター１０２に搬入されたのち、当該廃棄物を該廃棄物収集センター１０２に設けられた重量計等の計量手段にて計量することもできる。
【００６４】
廃棄物の収集が行われると、廃棄物搬送業者の搬送者端末２０より、建築現場１０１での廃棄物収集日時、廃棄物収集センター１０２への廃棄物搬入日時、建築現場１０１から廃棄物収集センター１０２までの走行距離・廃棄物種類・廃棄物収集量・業者コード・ドライバコード・端末ＩＤ等を少なくとも情報して含む廃棄物収集報告が、管理サーバ３０へ送信される（図６中、矢印Ｄ）。
尚、廃棄物収集報告は搬送者端末２０からではなく、集荷端末４０から送信することもできる。
【００６５】
前記廃棄物収集報告を受けた管理サーバ３０では（Ｓ００７のＹＥＳ）、廃棄物収集処理が開始される（Ｓ００８）。
図１３に示すように、前記廃棄物収集処理が開始されると、管理サーバ３０では、進捗管理データベース３５ａが読み出され、該進捗管理データベース３５ａに廃棄物収集報告の内容が記憶される。
管理サーバ３０では、廃棄物収集報告に含まれる廃棄物収集量と、進捗管理データベース３５ａに含まれる「廃棄物予定排出量」との差異（評価値）が算出され（Ｓ２０５）、進捗管理データベース３５ａに記憶される。この評価値が、排出下限量や排出上限量等の上下の閾値と比較演算されて（Ｓ２０６）、当該閾値を超える場合は（Ｓ２０７のＮＯ）、異常警告が進捗管理データベース３５ａに記憶されるとともに、現場管理者の現場端末１０に異常警告が送信される（Ｓ１１０）。
【００６６】
前記評価値は、「廃棄物予定排出量」に関する上下閾値（上下の触れ幅）にフィードバックすることができる。
例えば、管理サーバ３０は、前記廃棄物収集報告に含まれる廃棄物収集量と評価値とから、予め設定された回数の処理が行われるごとに、或いは所定期間毎に、又は外部からの指令を受けて、最適な排出下限量と排出下限量とを所定の計算式に則って再計算する構成にしても良い。
【００６７】
また、前記廃棄物収集処理では、建築現場１０１から廃棄物収集センター１０２までの走行距離・車種・廃棄物収集量とに基づいて、予め設定された演算式を用いて二酸化炭素排出量が算出される（Ｓ２０８）。算出結果は、進捗管理データベース３５ａに記憶される（Ｓ２０９）。
搬送された廃棄物収集量だけでなく、搬送時に生じた二酸化炭素排出量も知ることで、搬送効率改善のための基礎データとすることができる。
前記廃棄物収集処理が終了すると、第ｎ工程の処理は終了する。
【００６８】
上記廃棄物管理システム及びその処理によれば、建築工事の進捗管理や管理報告の作成とともに、廃棄物の収集指示が自動的に行われることとなる。同時に、建築工事の各建築工程における廃棄物の収集量を評価するので、各建築工程における作業ミスの防止や、作業の適正化を図ることができる。
【００６９】
上記廃棄物管理システム及びその処理によれば、住宅建設における、工事進捗の情報は、次工程の工事監督者に自動的にリレーされる形式となる。
これにより標準施工の順守とアクシデントに対する予防措置を誘導することができる。例えば、前工程で遅れが生じた場合、現工程の工事監督者は、投入人員を増やしたり、作業時間を増大させたり、作業日程を増加させたりする等、全体的な建築工程に係る日数の調整が可能となる。
【００７０】
上記廃棄物管理システム及びその処理によれば、自動的に廃棄物処理の指示、収集（排出）量の集計を行うことにより、各建築工程の安定度が自動的に評価される。
つまり、工程に伴う廃棄物が、予め設定された管理値（閾値）を超えた場合、異常原因によるバラツキが発生したこととなり、よって、工事が標準状態から外れたことがわかる。このため、異常の警告が即時に現場管理者に届くことで、異常を解消するための処置を採るための時間的余裕を得ることができる。
【００７１】
上記廃棄物管理システム及びその処理によれば、進捗管理を廃棄物収集量の管理値（閾値）にフィードバックすることにより、施工品質の安定と施工改善を誘導することができる。
建築工法の改善、施工者の工夫などの作業品質の向上により、廃棄物の排出量が削減された場合に、下限・上限の限界値を見直すことは品質管理の基本であり、この見直し作業の形骸化を防止することができる。
【図面の簡単な説明】
【００７２】
【図１】本発明の一実施例に係る廃棄物管理システムの全体構成を示す模式図。
【図２】建築現場から最終処理工場までの廃棄物の流れを示す概略図。
【図３】（ａ）現場端末等の内部構成を示すブロック図。（ｂ）管理サーバの内部構成を示すブロック図。
【図４】管理サーバが有する進捗管理データベースを示した概念図。
【図５】廃棄物管理システムにおける廃棄物処理工程を示す流れ図。
【図６】管理サーバの動作を示すシステムフロー図。
【図７】実施例１に係る管理サーバの処理の流れ図。
【図８】工程開始処理の流れ図。
【図９】廃棄物収集処理の流れ図。
【図１０】実施例２に係る管理サーバの処理の流れ図。
【図１１】工程開始処理の流れ図。
【図１２】工程終了処理の流れ図。
【図１３】廃棄物収集処理の流れ図。
【符号の説明】
【００７３】
１    廃棄物管理システム
１０    現場端末
２０    搬送者端末
３０    管理サーバ
３５ａ    進捗管理データベース
４０    集荷端末
１００    通信ネットワーク（電気通信回線・インターネット）
【図３】
2008084224.tif 000003
【図４】
2008084224.tif 000004
【図５】
2008084224.tif 000005
【図６】
2008084224.tif 000006
【図７】
2008084224.tif 000007
【図８】
2008084224.tif 000008
【図９】
2008084224.tif 000009
【図１０】
2008084224.tif 000010
【図１１】
2008084224.tif 000011
【図１２】
2008084224.tif 000012
【図１３】
2008084224.tif 000013
【図１】
2008084224.tif 000014
【図２】
2008084224.tif 000015